(57)【要約】【課題】生産コストを抑制しながらも、多様な仕口部を造ることが可能となる新たな生産方法を提供する。【解決手段】交差する三以上の構造軸のうち、同一平面内において交差する二つの構造軸の一方のＷ（０１）の二材を、他方のＷ（０１）の二材の欠き込み（０６）とその挟体部材のｗ（０２）によって生じせしめた、構造軸交差部付近に位置する合間に挟み込むことを、三つの構造軸の交差によって生成する相異なる三平面において同時成立するように組み立てたのち、楔（０５）を組立の都合上生じせしめた欠き込み（０６）の間隙に打ち込み、留具（０３）をもってＷ（０１）の二材とその挟体部材のｗ（０２）を締め付け、仕口部を造る。【選択図】図１
2004156248.tif 000002
【特許請求の範囲】
【請求項１】
三以上の軸方向に延びる構造部材が交差する木造建築物の仕口部において、通常単一材とされる構造部材を、Ｗ０２をＷ０１の二材によって挟んだ物にして、欠き込み０６および孔０４を施す。次にこれらの部材を請求項２に示すように組み立てたのち、楔０５を打ち込み、留具０３をもって締め付ける。これによって仕口部を構成するシステム（図１〜図３）。（ただし、Ｗ０１やＷ０２の寸法・形状、および欠き込み０６の箇所・寸法・形状・材軸との角度は、建築上の観点から適宜決定する。挟体部材となるＷ０２については、省略される場合がある。また、このＷ０２だけでなく、通常は二材を対とするＷ０１も、図５の図例のように一材に省略し、その一材に欠き込み０６に代わる穴を穿って組み上げる場合がある。孔０４の寸法・形状・数量は留具０３に合わせるが、留具０３の種類によっては、必ずしも孔０４の有無には拘らない場合がある。楔０５及び留具０３の形状・位置・数量は、建築上の観点から適宜決めるものであるが、特に留具０３に関して、露出することが建築上の観点から好ましくない場合、埋め込み式とするか、あるいはＷ０１に座繰りをして蓋をもって隠す場合がある。この他、図５の図例のように、楔０５の役をＷ０１に担わせることで楔０５を省略し、栓にて代役のＷ０１を留める場合がある。）
【請求項２】
交差する三以上の構造軸のうち、同一平面内において交差する二つの構造軸の一方のＷ０１の二材を、他方のＷ０１の二材の欠き込み０６と挟体部材のＷ０２によって生じる交差部の合間に挟み込むことによって、面内の変位を不可能にする。これを、三軸の交差によって生成する相異なる三平面において同時成立させることで、木造構造物における仕口部を構成するシステム。（ただし、面内の変位を不可能にするために、挟み込む側の欠き込み０６の最外寸法０８は、挟まれる側のＷ０１の二材とＷ０２を合わせた寸法とするが、組立の都合上、一以上の軸方向の部材には、これよりも大きい寸法の欠き込み０６を施す必要性がある。この場合、組立の都合上生じた間隙には、最後に楔０５を打ち込むことで変位を不可能とするが、図５の図例のように楔０５を省略した場合には、この必要性はない。図４の図例のように欠き込み０６を施したＷ０１の二材が、必ずしも同軸方向にすべて平行に対となっていなくても、また図５の図例のように、対とする二材のうちの片材に欠き込み０６がなくても、同システムと見なす。建築上の観点から補強の必要性がある場合には、挟面部０７に補助接合材が施される場合がある。逆に補強どころか、締め付けとズレ防止ための留具０３さえ不要の場合は、これを省略する場合がある。）
【請求項３】
図１の図例を基本形態として、これに「部材数の加減」、「部材の寸法・形状の変更」、「部材の交差軸角度の変更」、「ＸＹＺ軸方向への重複配列」といった変更を、様々な木造建築物に応じて、単独または組み合わせて行うことで、図４から図９の図例に示すような多様な応用形態を造りあげるシステム。
【発明の詳細な説明】
【０００１】
【発明の属する技術分野】本発明は、三以上の軸方向に延びる構造部材が交差する木造建築物の仕口部を、これまでの図１０から図１２の図例に示す「伝統構法における仕口」、「接合金物」、「機械による仕口加工（プレカット）」に代わる方法で作成するための、構成システムである。
【０００２】
【従来の技術】木造建築物における伝統構法においては、その構造部材である木材に、鋸や鑿といった道具によってホゾ・孔・蟻といった加工を施し、楔・車知・栓によって留める「仕口」という技法が用いられている。
【０００３】しかしながら、このような「伝統構法における仕口」図１０は組立後の美観等においては優れているものの、その複雑な仕口形態から加工を手作業に依存せざるを得ず、結果、作業者の技術レベルによる精度のバラツキや製作速度という点に課題があった。加えて加工による材料の断面欠損部分も多く、コストアップは避けられなかった。
【０００４】従って、近年のように熟練工の不足、生産コストの抑制が企業において課題となる最中にあっては、「伝統構法による仕口」図１０のような方法は、よりいっそう難しい状況にあり、最近は、このような社会情勢を反映して、「接合金物」図１１や「機械による仕口加工（プレカット）」図１２が普及している。
【０００５】しかし「接合金物」図１１には、構造部材の寸法や形状および接合角度に応じて多種類の金物を用意しなくてはならないといった問題があり、また「機械による仕口加工（プレカット）」図１２による方法には、特別かつ高価な機械設備を用意しなくてはならないという課題があって、小規模な工務店や建築現場では使用できなかった。
【０００６】
【発明が解決しようとする課題】そこで本発明は、これまでの図１０から図１２の図例に示す「伝統構法における仕口」、「接合金物」、「機械による仕口加工（プレカット）」に代わる方法を、生産コストを抑制しながらも、様々な木造建築物に応じて多様な仕口形態を造ることが可能となる新たな構成システムを提供することにある。
【０００７】
【課題を解決するための手段】まず、通常は単一材とされる構造部材を、Ｗ０２をＷ０１の二材によって挟んだ物にする。（ただし、Ｗ０１やＷ０２の寸法・形状については建築上の観点から適宜決定する。挟体部材となるＷ０２については、省略される場合がある。また、このＷ０２だけでなく、通常は二材を対とするＷ０１も、図５の図例のように一材に省略し、その一材に欠き込み０６に代わる穴を穿って組み上げる場合がある。）
【０００８】加工道具として、基本的に安価な機械工具を用意する。（ただし、「伝統構法における仕口」図１０を造る際に使用される鋸や鑿といった道具や、また「機械による仕口加工（プレカット）」図１２を造るための特別かつ高価な機械設備でも、製作やコストに支障がなければ使用しても構わない。）
【０００９】Ｗ０１に、機械工具を使って、欠き込み０６を施す。（ただし、欠き込み０６の箇所・寸法・形状・材軸との角度は、建築上の観点から適宜決定する。）
【００１０】次に、締め付けとズレ防止の留具０３のための孔０４を、Ｗ０１やＷ０２にあける。（ただし、孔０４の寸法・形状・数量は留具０３に合わせるが、留具０３の種類によっては、必ずしも孔０４の有無には拘らない場合がある。）
【００１１】そして、交差する三以上の構造軸のうち、同一平面内において交差する二軸の一方のＷ０１の二材を、他方のＷ０１の二材の欠き込み０６と挟体部材のＷ０２によって生じる交差部の合間に挟み込むことによって、面内の変位を不可能にする。これを、三軸の交差によって生成する相異なる三平面において同時成立するように仕口部を組み立てる。（ただし、面内の変位を不可能にするために、挟み込む側の欠き込み０６の最外寸法０８は、挟まれる側のＷ０１の二材とＷ０２を合わせた寸法とするが、組立の都合上、一以上の軸方向の部材には、これよりも大きい寸法の欠き込み０６を施す必要性がある。この場合、組立の都合上生じた間隙には、最後に楔０５を打ち込むことで変位を不可能とするが、図５の図例のように楔０５を省略した場合には、この必要性はない。図４の図例のように欠き込み０６を施したＷ０１の二材が、必ずしも同軸方向にすべて平行に対となっていなくても、また図５の図例のように、対とする二材のうちの片材に欠き込み０６がなくても、同システムと見なす。建築上の観点から補強の必要性がある場合には、挟面部０７に補助接合材が施される場合がある。逆に補強どころか、締め付けとズレ防止ための留具０３さえ不要の場合は、これを省略する場合がある。）
【００１２】最後に楔０５を打ち込み、留具０３をもって締め付ける。（ただし、楔０５及び留具０３の形状・位置・数量は、建築上の観点から適宜決めるものであるが、特に留具０３に関して、露出することが建築上の観点から好ましくない場合、埋め込み式とするか、あるいはＷ０１に座繰りをして蓋をもって隠す場合がある。この他、図５の図例のように、楔０５の役をＷ０１に担わせることで楔０５を省略し、栓にて代役のＷ０１を留める場合がある。）
【００１３】また様々な木造建築物に対応するために、図１の図例を基本形態として、これに「部材数の加減」、「部材の寸法・形状の変更」、「部材の交差軸角度の変更」、「ＸＹＺ軸方向への重複配列」といった変更を、単独または組み合わせて行うことで、図４から図９の図例に示すような多様な応用形態を造りあげる。ただし、何れの場合も図１１のような「接合金物」は使用しない。
【００１４】
【発明の実施の形態】（基本形の実施例）まず、通常は単一材とされる構造部材を、Ｗ０２をＷ０１の二材によって挟んだ物にする。
【００１５】そのうち、Ｗ０１に機械工具を使って図３の図例のように欠き込み０６を施す。
【００１６】次に、Ｗ０１とＷ０２に、締め付けとズレ防止の留具０３のための孔０４を、使用する留具０３の形態や数に合わせてあける。
【００１７】そして、交差する三以上の軸のうち、同一平面内において交差する二軸の一方のＷ０１の二材を、他方のＷ０１の二材の欠き込み０６と挟体部材のＷ０２によって生じる交差部の合間に挟み込むことによって、面内の変位を不可能にする。これを、三軸の交差によって生成する相異なる三平面において同時成立するように仕口部を組み立てる。
【００１８】最後に楔０５を打ち込み、留具０３をもって締め付ける。以上の手順によって組み上げられたものが、本発明（構成システム）による基本形態、図１である。
【００１９】（応用形態の実施例）様々な木造建築物に対応するために、図１の図例を基本形態として、これに「部材数の加減」、「部材の寸法・形状の変更」、「部材の交差軸角度の変更」、「ＸＹＺ軸方向への重複配列」といった変更を単独または組み合わせて行い、図４から図９の図例に示すような多様な応用形態を作る。その際、材料の加工・組立・締め付け方法は基本形態のそれに習う。
【００２０】
【発明の効果】本発明は、以上説明したように構成されることによって、以下に記載するような効果を奏する。
【００２１】安価な機械工具による構造部材への単純な加工（欠き込み０６と孔０４）しか採用していないので、作業者の技量や設備の規模・レベルに関係なく簡単に仕口部を構成できる。結果、生産コストが抑えられる。
【００２２】構造部材である木材を直接加工するので、構造部材の寸法や形状および接合角度に応じて、多様な応用形態を図４から図９の図例に示すように造ることができる。その結果、様々な形態の建築物を作り上げることができる。
【図面の簡単な説明】
【図１】基本形の完成図（等角投影図）である。
【図２】基本形の組立図（等角投影図）である。
【図３】基本形の部材図（等角投影図）である。
【図４】図１に示す基本形態に「部材数の加減」を行った応用形態の一例である。三軸方向（ＸＹＺ軸）以外の軸方向に部材を加えている。ただし、Ｘ軸方向の部材に関しては、部材寸法の変更も行っている。
【図５】図１に示す基本形態に「部材数の加減」を行った応用形態の一例である。Ｘ軸およびＹ軸方向の部材数を減じている。また、楔０５の役をＷ０１に担わせることで、これを省略し、代役のＷ０１のズレを防ぐために栓を打ち込んでいる。ただし、部材を減じた結果、Ｘ軸およびＹ軸方向の部材に関して、部材寸法の変更も行っている。
【図６】図１に示す基本形態に「部材の寸法・形状の変更」を行った応用形態の一例である。Ｘ軸およびＹ軸方向の部材について部材寸法を変え、Ｚ軸方向部材の断面形状を変更している。
【図７】図１に示す基本形態に「部材の交差軸角度の変更」を行った応用形態の一例である。交差する三軸のうち、一軸方向の交差軸角度を変えている。ただし、Ｘ軸方向の部材に関しては、部材寸法も変更させている。
【図８】図１に示す基本形態に「ＸＹＺ軸方向への重複配置」を行った応用形態の一例である。Ｚ軸方向へ基本形態を重複配置している。ただし、Ｙ軸方向のＷ０２を上下つないで部材数を減じると共に、部材寸法の変更も行っている。
【図９】図１に示す基本形態に「部材数の加減」と「部材の寸法・形状の変更」を行った応用形態の一例である。ＸＹＺ軸方向の何れの軸方向においても、Ｗ０２を減じ、さらに部材寸法も変更している。
【図１０】「伝統構法における仕口」の一例である。
【図１１】「接合金物」を使用した仕口の一例である。
【図１２】「機械による仕口加工（プレカット）」の一例である。
【符号の説明】
０１  Ｗ（ウッドの略。木材・木質材料のこと。）
０２  Ｗ
０３  留具（ただし、図例はボルト式による一例である。）
０４  孔
０５  楔
０６  欠き込み
０７  挟面部
０８  最外寸法
【図１】
2004156248.tif 000003
【図２】
2004156248.tif 000004
【図３】
2004156248.tif 000005
【図４】
2004156248.tif 000006
【図５】
2004156248.tif 000007
【図６】
2004156248.tif 000008
【図７】
2004156248.tif 000009
【図８】
2004156248.tif 000010
【図９】
2004156248.tif 000011
【図１０】
2004156248.tif 000012
【図１１】
2004156248.tif 000013
【図１２】
2004156248.tif 000014
【手続補正書】
【提出日】平成15年5月12日(2003.5.12)
【手続補正２】
【補正対象書類名】明細書
【補正対象項目名】特許請求の範囲
【補正方法】変更
【補正の内容】
【特許請求の範囲】
【請求項１】
三以上の軸方向に延びる構造部材が交差する木造建築物の仕口部において、通常単一材とされる構造部材を、Ｗ（０２）をＷ（０１）の二材によって挟んだ構造にして、欠き込み（０６）および孔（０４）を施し、次に交差する三以上の構造軸のうち、同一平面内において交差する二つの構造軸の一方のＷ（０１）の二材を、他方のＷ（０１）の二材の欠き込み（０６）とその挟体部材のＷ（０２）によって生じせしめた、構造軸交差部付近に位置する合間に挟み込むことを、三つの構造軸の交差によって生成する相異なる三平面において同時成立するように組み立てたのち、楔（０５）を組立の都合上生じせしめた欠き込み（０６）の間隙に打ち込み、留具（０３）をもってＷ（０１）の二材とその挟体部材のＷ（０２）を締め付ける事を特徴とする木造構造物における仕口部の生産方法。
【請求項２】
Ｗ（０１）やＷ（０２）の部材数の加減、Ｗ（０１）やＷ（０２）の部材の寸法・形状の変更、交差する構造軸の角度の変更、請求項１に従って生成した一仕口部の構造軸方向への重複配列、欠き込み（０６）の箇所・寸法・形状・材軸との角度の変更、留具（０３）の形状・位置・数量の変更及びその省略、留具（０３）に合わせた孔（０４）の寸法・形状・数量の変更及びその有無、留具（０３）の露出不適に伴う埋め込み式の採用あるいはＷ（０１）への座繰りと蓋による隠蔽、楔（０５）の形状・位置・数量の変更、挟面部（０７）への補助接合材の有無、Ｗ（０１）の二材を同軸方向に平行に対としない、といった変更を、請求項１に単独または組み合わせて行うことで、多様な仕口部を生産する事を特徴とする木造構造物における仕口部の生産方法。
【手続補正３】
【補正対象書類名】明細書
【補正対象項目名】発明の詳細な説明
【補正方法】変更
【補正の内容】
【発明の詳細な説明】
【０００１】
【発明の属する技術分野】本発明は、三以上の軸方向に延びる構造部材が交差する木造構造物の仕口部を、これまでの図１０から図１２の図例に示す伝統構法における仕口、接合金物、機械による仕口加工（プレカット）に代わる方法で生産するための方法である。
【０００２】
【従来の技術】木造構造物における伝統構法においては、その構造部材である木材に、鋸や鑿といった道具によってホゾ・孔・蟻といった加工を施し、楔・車知・栓によって留める仕口という技法が用いられている。
【０００３】しかしながら、このような伝統構法における仕口（図１０）は組立後の美観においては優れているものの、その複雑な仕口形態から加工を手作業に依存せざるを得ず、結果、作業者の技術レベルによる精度のバラツキや製作速度に課題があった。加えて加工による材料の断面欠損部分も多く、コストアップは避けられなかった。
【０００４】従って、近年のように熟練工の不足、生産コストの抑制が企業において課題となる最中にあっては、伝統構法における仕口（図１０）のような方法は、よりいっそう難しい状況にあり、最近は、このような社会情勢を反映して、接合金物（図１１）や機械による仕口加工（プレカット）（図１２）が普及している。
【０００５】しかし接合金物（図１１）には、構造部材の寸法や形状および接合角度に応じて多種類の金物を用意しなくてはならないという問題があり、また機械による仕口加工（プレカット）（図１２）による方法には、特別かつ高価な機械設備を用意しなくてはならないという課題があって、小規模な工務店や建築現場では使用できなかった。
【０００６】
【発明が解決しようとする課題】そこで本発明は、これまでの図１０から図１２の図例に示す伝統構法における仕口、接合金物、機械による仕口加工（プレカット）に代わる方法を、生産コストを抑制しながらも、多様な仕口部を造ることが可能となる新たな生産方法を提供することにある。
【０００７】
【課題を解決するための手段】まず、通常は単一材とされる構造部材を、Ｗ（０２）をＷ（０１）の二材によって挟んだ構造にする。
【０００８】加工道具として、基本的に安価な機械工具を用意する。（ただし、伝統構法における仕口（図１０）を造る際に使用される鋸や鑿といった道具や、また機械による仕口加工（プレカット）（図１２）を造るための特別かつ高価な機械設備でも、製作やコストに支障がなければ使用しても構わない。）
【０００９】Ｗ（０１）に、機械工具を使って、欠き込み（０６）を施す。
【００１０】次に、締め付けとズレ防止の留具（０３）のための孔（０４）を、Ｗ（０１）やＷ（０２）にあける。
【００１１】そして、交差する三以上の構造軸のうち、同一平面内において交差する二つの構造軸の一方のＷ（０１）の二材を、他方のＷ（０１）の二材の欠き込み（０６）とその挟体部材のＷ（０２）によって生じせしめた、構造軸交差部付近に位置する合間に挟み込むことを、三つの構造軸の交差によって生成する相異なる三平面において同時成立するように仕口部を組み立てる。（ただし、挟み込む側の欠き込み（０６）の最外寸法（０８）は、挟まれる側のＷ（０１）の二材とＷ（０２）を合わせた寸法とするが、組立の都合上、一以上の軸方向の部材には、これよりも大きい寸法の欠き込み（０６）を施す必要性がある。）
【００１２】最後に楔（０５）を組立の都合上生じせしめた欠き込み（０６）の間隙に打ち込み、留具（０３）をもってＷ（０１）の二材とその挟体部材のＷ（０２）を締め付ける。
【００１３】また、Ｗ（０１）やＷ（０２）の部材数の加減、Ｗ（０１）やＷ（０２）の部材の寸法・形状の変更、交差する構造軸の角度の変更、請求項１に従って生成した一仕口部の構造軸方向への重複配列、欠き込み（０６）の箇所・寸法・形状・材軸との角度の変更、留具（０３）の形状・位置・数量の変更及びその省略、留具（０３）に合わせた孔（０４）の寸法・形状・数量の変更及びその有無、留具（０３）の露出不適に伴う埋め込み式の採用あるいはＷ（０１）への座繰りと蓋による隠蔽、楔（０５）の形状・位置・数量の変更、挟面部（０７）への補助接合材の有無、Ｗ（０１）の二材を同軸方向に平行に対としない、といった変更を、請求項１に単独または組み合わせて行うことで、多様な仕口部を生産する。
【００１４】
【発明の実施の形態】（基本形の実施例）まず、通常は単一材とされる構造部材を、Ｗ（０２）をＷ（０１）の二材によって挟んだ構造にする。
【００１５】そのうち、Ｗ（０１）に機械工具を使って図３の図例のように欠き込み（０６）を施す。
【００１６】次に、Ｗ（０１）とＷ（０２）に、締め付けとズレ防止の留具（０３）のための孔（０４）を、使用する留具（０３）の形態や数に合わせてあける。
【００１７】そして、交差する三以上の構造軸のうち、同一平面内において交差する二つの構造軸の一方のＷ（０１）の二材を、他方のＷ（０１）の二材の欠き込み（０６）とその挟体部材のＷ（０２）によって生じせしめた、構造軸交差部付近に位置する合間に挟み込むことを、三つの構造軸の交差によって生成する相異なる三平面において同時成立するように仕口部を組み立てる。
【００１８】最後に楔（０５）を組立の都合上生じせしめた欠き込み（０６）の間隙に打ち込み、留具（０３）をもってＷ（０１）の二材とその挟体部材のＷ（０２）を締め付ける。以上の手順によって組み上げられたものが、本発明（生産方法）による基本形、図１である。
【００１９】（応用形の実施例）Ｗ（０１）やＷ（０２）の部材数の加減、Ｗ（０１）やＷ（０２）の部材の寸法・形状の変更、交差する構造軸の角度の変更、請求項１に従って生成した一仕口部の構造軸方向への重複配列、欠き込み（０６）の箇所・寸法・形状・材軸との角度の変更、留具（０３）の形状・位置・数量の変更及びその省略、留具（０３）に合わせた孔（０４）の寸法・形状・数量の変更及びその有無、留具（０３）の露出不適に伴う埋め込み式の採用あるいはＷ（０１）への座繰りと蓋による隠蔽、楔（０５）の形状・位置・数量の変更、挟面部（０７）への補助接合材の有無、Ｗ（０１）の二材を同軸方向に平行に対としない、といった変更を、請求項１に単独または組み合わせて行い、図４から図９の図例に示すような多様な仕口部を生産する。
【００２０】
【発明の効果】本発明は、以上説明したように構成されることによって、以下に記載するような効果を奏する。
【００２１】安価な機械工具による構造部材への単純な加工（欠き込み（０６）と孔（０４））しか採用していないので、作業者の技量や設備の規模・レベルに関係なく簡単に仕口部を構成できる。結果、生産コストが抑えられる。
【００２２】構造部材である木材を直接加工するので、多様な仕口部を図４から図９の図例に示すように生産することができる。その結果、様々な形態の木造構造物を作り上げることができる。


【手続補正４】
【補正対象書類名】明細書
【補正対象項目名】図面の簡単な説明
【補正方法】変更
【補正の内容】
【図面の簡単な説明】
【図１】基本形の完成図（等角投影図）である。
【図２】基本形の組立図（等角投影図）である。
【図３】基本形の部材図（等角投影図）である。
【図４】Ｗ（０１）やＷ（０２）の部材数の加減を行った応用形の一例である。三軸方向（ＸＹＺ軸）以外の軸方向にＷ（０１）部材を加えている。ただし、Ｘ軸方向のＷ（０１）部材に関しては、部材寸法の変更も行っている。
【図５】Ｗ（０１）やＷ（０２）の部材数の加減を行った応用形の一例である。Ｘ軸およびＹ軸方向のＷ（０１）やＷ（０２）の部材数を減じている。ただし、部材を減じた結果、Ｘ軸およびＹ軸方向のＷ（０１）部材に関して、部材寸法の変更も行っている。
【図６】Ｗ（０１）やＷ（０２）の部材の寸法・形状の変更を行った応用形の一例である。Ｘ軸およびＹ軸方向のＷ（０１）やＷ（０２）の部材について部材寸法を変え、Ｚ軸方向のＷ（０１）やＷ（０２）部材の断面形状を変更している。
【図７】交差する構造軸の角度の変更を行った応用形の一例である。交差する三軸のうち、Ｚ軸方向の交差する構造軸の角度を変えている。ただし、Ｘ軸方向のＷ（０１）部材に関しては、部材寸法も変更させている。
【図８】請求項１に従って生成した一仕口部の構造軸方向への重複配列を行った応用形の一例である。Ｚ軸方向へ基本形（図１）を重複配列している。ただし、Ｙ軸方向のＷ（０２）を上下つないで部材数を減じると共に、部材寸法の変更も行っている。
【図９】Ｗ（０１）やＷ（０２）の部材数の加減とＷ（０１）やＷ（０２）の部材の寸法・形状の変更を行った応用形の一例である。ＸＹＺ軸方向の何れの軸方向においても、Ｗ（０２）を減じ、さらにＷ（０１）の部材寸法も変更している。
【図１０】伝統構法における仕口の一例である。
【図１１】接合金物を使用した仕口の一例である。
【図１２】機械による仕口加工（プレカット）の一例である。
【符号の説明】
０１  Ｗ（ウッドの略。木材・木質材料のこと。）
０２  Ｗ（ウッドの略。木材・木質材料のこと。）
０３  留具（ただし、図例はボルト式による一例である。）
０４  孔
０５  楔
０６  欠き込み
０７  挟面部
０８  最外寸法


【手続補正６】
【補正対象書類名】図面
【補正対象項目名】図２
【補正方法】変更
【補正の内容】
【図２】
2004156248.tif 000015
【手続補正７】
【補正対象書類名】図面
【補正対象項目名】図４
【補正方法】変更
【補正の内容】
【図４】
2004156248.tif 000016
【手続補正８】
【補正対象書類名】図面
【補正対象項目名】図５
【補正方法】変更
【補正の内容】
【図５】
2004156248.tif 000017
【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
三以上の軸方向に延びる構造部材が交差する木造構造物の仕口部において、通常単一材とされる構造部材を、ｗ（０２）をＷ（０１）の二材によって挟む構造にして、Ｗ（０１）に欠き込み（０６）を、Ｗ（０１）どうしが交差する箇所に施し、Ｗ（０１）とｗ（０２）に締め付けとズレ防止の留具（０３）のための孔（０４）を施したのち、次に交差する三以上の構造軸のうち、同一平面内において交差する二つの構造軸の一方のＷ（０１）の二材を、他方のＷ（０１）の二材の欠き込み（０６）とその挟体部材のｗ（０２）によって生じせしめた、構造軸交差部付近に位置する合間に挟み込むことを、三つの構造軸の交差によって生成する相異なる三平面において同時成立するように組み立て、楔（０５）を組立の都合上生じせしめた欠き込み（０６）の間隙に打ち込み、留具（０３）をもってＷ（０１）の二材とその挟体部材のｗ（０２）を締め付ける事を特徴とする木造構造物における仕口部の生産方法。
【請求項２】
請求項１に記載の木造構造物における仕口部の生産方法において、挟体部材となるｗ（０２）を構造軸の全軸あるいは一部の軸において省略する、また構造軸の一軸あるいは二軸を単一材にし、その単一材に、欠き込み（０６）に代わる穴を穿って組み上げる生産方法。
【手続補正２】
【補正対象書類名】明細書
【補正対象項目名】発明の詳細な説明
【補正方法】変更
【補正の内容】
【発明の詳細な説明】
【０００１】
【発明の属する技術分野】本発明は、三以上の軸方向に延びる構造部材が交差する木造構造物の仕口部を、これまでの図１０から図１２の図例に示す伝統構法における仕口、接合金物、機械による仕口加工（プレカット）に代わる方法で生産するための方法である。
【０００２】
【従来の技術】木造構造物における伝統構法においては、その構造部材である木材に、鋸や鑿といった道具によってホゾ・孔・蟻といった加工を施し、楔・車知・栓によって留める仕口という技法が用いられている。
【０００３】しかしながら、このような伝統構法における仕口（図１０）は組立後の美観においては優れているものの、その複雑な仕口形態から加工を手作業に依存せざるを得ず、結果、作業者の技術レベルによる精度のバラツキや製作速度に課題があった。加えて加工による材料の断面欠損部分も多く、コストアップは避けられなかった。
【０００４】従って、近年のように熟練工の不足、生産コストの抑制が企業において課題となる最中にあっては、伝統構法における仕口（図１０）のような方法は、よりいっそう難しい状況にあり、最近は、このような社会情勢を反映して、接合金物（図１１）や機械による仕口加工（プレカット）（図１２）が普及している。
【０００５】しかし接合金物（図１１）には、構造部材の寸法や形状および接合角度に応じて多種類の金物を用意しなくてはならないという問題があり、また機械による仕口加工（プレカット）（図１２）による方法には、特別かつ高価な機械設備を用意しなくてはならないという課題があって、小規模な工務店や建築現場では使用できなかった。
【０００６】
【発明が解決しようとする課題】そこで本発明は、これまでの図１０から図１２の図例に示す伝統構法における仕口、接合金物、機械による仕口加工（プレカット）に代わる方法を、生産コストを抑制しながらも、多様な仕口部を造ることが可能となる新たな生産方法を提供することにある。
【０００７】
【課題を解決するための手段】まず、通常は単一材とされる構造部材を、ｗ（０２）をＷ（０１）の二材によって挟む構造にする。
【０００８】加工道具として、基本的に安価な機械工具を用意する。（ただし、伝統構法における仕口（図１０）を造る際に使用される鋸や鑿といった道具、また機械による仕口加工（プレカット）（図１２）を造るための特別かつ高価な機械設備でも、製作やコストに支障がなければ使用しても構わない。）
【０００９】機械工具を使って、Ｗ（０１）に欠き込み（０６）を、Ｗ（０１）どうしが交差する箇所に施す。
【００１０】次に、Ｗ（０１）とｗ（０２）に締め付けとズレ防止の留具（０３）のための孔（０４）をあける。
【００１１】そして、交差する三以上の構造軸のうち、同一平面内において交差する二つの構造軸の一方のＷ（０１）の二材を、他方のＷ（０１）の二材の欠き込み（０６）とその挟体部材のｗ（０２）によって生じせしめた、構造軸交差部付近に位置する合間に挟み込むことを、三つの構造軸の交差によって生成する相異なる三平面において同時成立するように仕口部を組み立てる。（ただし、挟み込む側の欠き込み（０６）の最外寸法（０８）は、挟まれる側のＷ（０１）の二材とｗ（０２）を合わせた寸法とするが、組立の都合上、一以上の軸方向の部材には、これよりも大きい寸法の欠き込み（０６）を施す必要性がある。）
【００１２】最後に楔（０５）を組立の都合上生じせしめた欠き込み（０６）の間隙に打ち込み、留具（０３）をもってＷ（０１）の二材とその挟体部材のｗ（０２）を締め付ける。
【００１３】この他、請求項１に記載の木造構造物における仕口部の生産方法において、挟体部材となるｗ（０２）を構造軸の全軸あるいは一部の軸において省略する、また構造軸の一軸あるいは二軸を単一材にし、その単一材に、欠き込み（０６）に代わる穴を穿って組み上げる。
【００１４】
【発明の実施の形態】（基本形の実施例）まず、通常は単一材とされる構造部材を、ｗ（０２）をＷ（０１）の二材によって挟む構造にする。
【００１５】そのうち、機械工具を使って図３の図例のように、Ｗ（０１）に欠き込み（０６）を、Ｗ（０１）どうしが交差する箇所に施す。
【００１６】次に、Ｗ（０１）とｗ（０２）に締め付けとズレ防止の留具（０３）のための孔（０４）を、使用する留具（０３）の形態や数に合わせてあける。
【００１７】そして、図２の図例のように、交差する三以上の構造軸のうち、同一平面内において交差する二つの構造軸の一方のＷ（０１）の二材を、他方のＷ（０１）の二材の欠き込み（０６）とその挟体部材のｗ（０２）によって生じせしめた、構造軸交差部付近に位置する合間に挟み込むことを、三つの構造軸の交差によって生成する相異なる三平面において同時成立するように仕口部を組み立てる。
【００１８】最後に楔（０５）を組立の都合上生じせしめた欠き込み（０６）の間隙に打ち込み、留具（０３）をもってＷ（０１）の二材とその挟体部材のｗ（０２）を締め付ける。以上の手順によって組み上げられた図１の図例が、請求項１による一例である。
【００１９】この他、請求項１に記載の木造構造物における仕口部の生産方法において、挟体部材となるｗ（０２）を構造軸の全軸あるいは一部の軸において省略する、また構造軸の一軸あるいは二軸を単一材にし、その単一材に、欠き込み（０６）に代わる穴を穿って組み上げた図４の図例が、請求項２による一例である。
【００２０】（応用形の実施例）請求項１及び請求項２に従って生成した一仕口部において、Ｗ（０１）やｗ（０２）の部材数の加増、Ｗ（０１）やｗ（０２）の部材の寸法・形状の変更、交差する構造軸の角度の変更、請求項に従って生成した一仕口部の構造軸方向への重複配列、欠き込み（０６）の箇所・寸法・形状・材軸との角度の変更、留具（０３）の形状・位置・数量の変更及びその省略、留具（０３）に合わせた孔（０４）の寸法・形状・数量の変更及びその有無、留具（０３）の露出不適に伴う埋め込み式の採用あるいはＷ（０１）への座繰りと蓋による隠蔽、楔（０５）の形状・位置・数量の変更、挟面部（０７）への補助接合材の有無、Ｗ（０１）の二材を同軸方向に平行に対としない、といった変更を、単独または組み合わせて行い、図５から図９の図例に示すような多様な仕口部を生産する。
【００２１】
【発明の効果】本発明は、以上説明したように構成されることによって、以下に記載するような効果を奏する。
【００２２】安価な機械工具による構造部材への単純な加工（欠き込み（０６）と孔（０４））しか採用していないので、作業者の技量や設備の規模・レベルに関係なく簡単に仕口部を構成できる。結果、生産コストが抑えられる。
【００２３】構造部材である木材を直接加工するので、多様な仕口部を図５から図９の図例に示すように生産することができる。その結果、様々な形態の木造構造物を作り上げることができる。


【手続補正３】
【補正対象書類名】明細書
【補正対象項目名】図面の簡単な説明
【補正方法】変更
【補正の内容】
【図面の簡単な説明】
【図１】請求項１に従って生成した基本形の完成図例（等角投影図）である。
【図２】請求項１に従って生成した基本形の組立図例（等角投影図）である。
【図３】請求項１に従って生成した基本形の部材図例（等角投影図）である。
【図４】請求項２に従って生成した図例である。Ｘ軸およびＹ軸方向のＷ（０１）やｗ（０２）の部材数を省略している。ただし、Ｘ軸およびＹ軸方向のＷ（０１）部材に関して、部材寸法の変更も行っている。
【図５】請求項１に従って生成した一仕口部に、Ｗ（０１）の部材数の加増を行った応用形の一例である。三軸方向（ＸＹＺ軸）以外の軸方向にＷ（０１）の二材を同軸方向に平行に対とせずに加えている。ただし、Ｘ軸方向のＷ（０１）部材に関しては、部材寸法の変更も行っている。
【図６】請求項１に従って生成した一仕口部に、Ｗ（０１）やｗ（０２）の部材の寸法・形状の変更を行った応用形の一例である。Ｘ軸およびＹ軸方向のＷ（０１）やｗ（０２）の部材について部材寸法を変え、Ｚ軸方向のＷ（０１）やｗ（０２）部材の断面形状を変更している。
【図７】請求項１に従って生成した一仕口部に、交差する構造軸の角度の変更を行った応用形の一例である。交差する三軸のうち、Ｚ軸方向の交差する構造軸の角度を変えている。ただし、Ｘ軸方向のＷ（０１）部材に関しては、部材寸法も変更させている。
【図８】請求項１に従って生成した一仕口部の構造軸方向への重複配列を行った応用形の一例である。Ｚ軸方向へ基本形（図１）を重複配列している。ただし、Ｙ軸方向のｗ（０２）を上下つないで部材数を省略すると共に、部材寸法の変更も行っている。
【図９】請求項２に従って生成した一仕口部に、Ｗ（０１）の部材の寸法の変更を行った応用形の一例である。ＸＹＺ軸方向の何れの軸方向においても、ｗ（０２）を省略し、さらにＷ（０１）の部材寸法も変更している。
【図１０】伝統構法における仕口の一例である。
【図１１】接合金物を使用した仕口の一例である。
【図１２】機械による仕口加工（プレカット）の一例である。
【符号の説明】
０１  Ｗ（ウッドの略。木材・木質材料のこと。）
０２  ｗ（ウッドの略。木材・木質材料のこと。）
０３  留具（ただし、図例はボルト式による一例である。）
０４  孔
０５  楔
０６  欠き込み
０７  挟面部
０８  最外寸法


【手続補正４】
【補正対象書類名】図面
【補正対象項目名】図４
【補正方法】変更
【補正の内容】
【図４】
2004156248.tif 000018
【手続補正５】
【補正対象書類名】図面
【補正対象項目名】図５
【補正方法】変更
【補正の内容】
【図５】
2004156248.tif 000019